(57)【要約】【課題】スライド動作に支障をきたさないでアンテナ特性を向上させることが可能な携帯無線機を提供する。【解決手段】表示用基板７と、操作用基板４と、表示用基板７または操作用基板４のいずれかに取り付けられているアンテナ素子１と、表示用基板７と操作用基板４との間に配置され、操作用基板４が表示用基板７に対して相対的にスライド動作できるように操作用基板４と表示用基板７とを連結するスライド部６と、を有し、スライド部６は、一端９ａが表示用基板７に固定されているとともに他端９ｃが操作用基板４に固定されているバネ９を有し、操作用基板４が開方向に位置しているときにバネ９の弾性力が操作用基板４を開方向に付勢するように作用し、操作用基板４が閉方向に位置しているときにバネ９の弾性力が操作用基板４を閉方向に付勢するように作用し、バネ９が表示用基板７または操作用基板４の少なくとも一方と絶縁されている。【選択図】  図１
2011135175.tif 000002
【特許請求の範囲】
【請求項１】
表示用基板と、
前記表示用基板と電気的に接続されている操作用基板と、
前記表示用基板または前記操作用基板のいずれかに取り付けられているアンテナ素子と、
前記表示用基板と前記操作用基板との間に配置され、前記操作用基板が前記表示用基板に対して相対的にスライド動作できるように前記操作用基板と前記表示用基板とを連結するスライド部と、を有し、
前記スライド部は、一端が前記表示用基板に固定されているとともに他端が前記操作用基板に固定されているバネを有し、前記操作用基板が前記表示用基板から離れる開方向に位置しているときに前記バネの弾性力が前記操作用基板を前記開方向に付勢するように作用し、前記操作用基板が前記表示用基板に近づく閉方向に位置しているときに前記バネの弾性力が前記操作用基板を前記閉方向に付勢するように作用し、前記バネが前記表示用基板または前記操作用基板の少なくとも一方と絶縁されている、携帯無線機。
【請求項２】
前記スライド部は、前記表示用基板に取り付けられ、前記バネの前記一端が固定された第１の突起が形成されている表示側スライド部材と、前記操作用基板に取り付けられ、前記バネの前記他端が固定された第２の突起が形成されている操作側スライド部材と、をさらに有し、
前記第１の突起と前記バネの前記一端との間、または前記第２の突起と前記バネの前記他端との間の少なくとも一方は絶縁部材で絶縁されている、請求項１に記載の携帯無線機。
【請求項３】
前記バネは、絶縁体である、請求項１に記載の携帯無線機。
【請求項４】
前記操作用基板が前記表示用基板と重なり合った閉状態のときには前記バネの前記一端が前記バネの前記他端に対して前記開方向の前方に位置することによって、前記バネの前記弾性力が前記操作用基板を前記閉方向に付勢するように作用し、前記操作用基板が前記表示用基板から最も離れた開状態のときには前記バネの前記一端が前記バネの前記他端に対して前記開方向の後方に位置することによって、前記バネの前記弾性力が前記操作用基板を前記開方向に付勢するように作用する、請求項１から３までのいずれか１項に記載の携帯無線機。
【発明の詳細な説明】
【技術分野】
【０００１】
本発明は、スライド型の携帯無線機に関する。
【背景技術】
【０００２】
携帯無線機の一つである携帯電話には、操作機能に関する部品が収容されている操作側筐体が、表示機能に関する部品が収容されている表示側筐体に対して相対的にスライド動作できるように操作側筐体と表示側筐体とを連結したスライド型の携帯電話がある。
【０００３】
スライド型の携帯電話では、一般的に、表示側筐体内には表示部を動作させるための表示用基板が収容されている。一方、操作側筐体内には、表示用基板と電気的に接続され、操作部を動作させるための操作用基板が収容されている。また、表示側筐体と操作側筐体の各々の両側には、操作側筐体が表示側筐体に対して相対的にスライド動作できるように各筐体を連結するスライド部が設けられている。
【０００４】
上記のように構成される携帯電話には、スライド動作を補助するバネがスライド部に設けられているものが提案されている（特許文献１参照）。このバネの弾性力は、操作側筐体が表示側筐体から離れる開方向にスライド動作しているときに操作側筐体を開方向に付勢するように作用する。
【先行技術文献】
【特許文献】
【０００５】
【特許文献１】特開２００６−３２５０９８号公報
【発明の概要】
【発明が解決しようとする課題】
【０００６】
上記のようにスライド部にバネが設けられている携帯電話では、一般的にこのバネは導電性の部材で作られている。本来、表示用基板と操作用基板とは、これらの間に配置されているフレキシブル配線板によって電気的に接続されているが、バネが導電性部材の場合、フレキシブル配線板だけでなくバネを介しても表示用基板と操作用基板とが電気的に接続されることになる。そのため、携帯電話の動作中（通電中）に誘導電流がバネを流れ、この誘導電流がアンテナ特性に悪影響を及ぼす場合がある。
【０００７】
図７は、表示用基板と操作用基板とがバネを通じて電気的に接続されている携帯電話のアンテナ特性の一例を示すグラフである。図７では、横軸は周波数を示し、縦軸はリターンロスを示す。なお、リターンロスの値は、シミュレーション値である。
【０００８】
図７に示すように、周波数が１９２０ＭＨｚの付近（図７の領域Ａ参照）に異常な共振が発生している。この異常な共振は、スライド部に設けられたバネに誘導電流が流れることにより発生し、共振周波数はバネの長さに応じて変化する。この異常な共振は、電波の送受信に悪影響を及ぼす可能性がある。そこで、スライド部に設けられたバネを取り除けば異常な共振を解消できると考えられるが、この場合、円滑なスライド動作が妨げられてしまう。
【０００９】
本発明は、スライド動作に支障をきたさないでアンテナ特性を向上させることが可能な携帯無線機を提供することを目的とする。
【課題を解決するための手段】
【００１０】
上記目的を達成するための本発明による携帯無線機は、表示用基板と、前記表示用基板と電気的に接続されている操作用基板と、前記表示用基板または前記操作用基板のいずれかに取り付けられているアンテナ素子と、前記表示用基板と前記操作用基板との間に配置され、前記操作用基板が前記表示用基板に対して相対的にスライド動作できるように前記操作用基板と前記表示用基板とを連結するスライド部と、を有し、前記スライド部は、一端が前記表示用基板に固定されているとともに他端が前記操作用基板に固定されているバネを有し、前記操作用基板が前記表示用基板から離れる開方向に位置しているときに前記バネの弾性力が前記操作用基板を前記開方向に付勢するように作用し、前記操作用基板が前記表示用基板に近づく閉方向に位置しているときに前記バネの弾性力が前記操作用基板を前記閉方向に付勢するように作用し、前記バネが前記表示用基板または前記操作用基板の少なくとも一方と絶縁されている。
【発明の効果】
【００１１】
本願発明によれば、スライド動作を補助するバネが表示用基板または操作用基板の少なくとも一方と絶縁されているので、携帯無線機の動作中に誘導電流がバネを流れない。そのため、バネを取り除かなくても異常な共振の発生を防止できる。よって、スライド動作に支障をきたさないでアンテナ特性を向上させることが可能となる。
【図面の簡単な説明】
【００１２】
【図１】本発明の携帯無線機の要部の一実施形態を示す図である。
【図２】図１に示す本実施形態の携帯無線機が備えるスライド部の構成を示す上面図である。
【図３】図１に示す本実施形態の携帯無線機が備えるスライド部の要部の拡大図である。
【図４】図１に示す本実施形態の携帯無線機のアンテナ特性の一例を示すグラフである。
【図５】スライド動作を補助するバネが取り除かれている形態の携帯無線機のアンテナ特性の一例を示すグラフである。
【図６】放射効率の比較を示す図である。
【図７】表示用基板と操作用基板とがバネを通じて電気的に接続されている携帯電話のアンテナ特性の一例を示すグラフである。
【発明を実施するための形態】
【００１３】
図１は、本発明の携帯無線機の要部の一実施形態を示す図である。図１（ａ）は、本実施形態の携帯無線機１００のスライド動作に関する構成要素を示す上面図であり、図１（ｂ）は側面図である。
【００１４】
図１（ａ）、（ｂ）に示すように、携帯無線機１００は、ＬＣＤ（Liquid Crystal Display）に代表される表示部（不図示）を動作させるための回路を備え、該表示部とともに表示側筐体（不図示）に収容されている表示用基板７を有する。表示用基板７は、フレキシブル配線板５を介して操作用基板４に電気的に接続されている。フレキシブル配線板５は、表示用基板７と操作用基板４との間に配置されている（図１（ｂ）参照）。操作用基板４は、操作キー（不図示）からの入力を受け付けて動作する回路を備え、操作キーとともに操作側筐体(不図示)に収納されている。
【００１５】
操作用基板４の上部には、アンテナ素子１および給電点２が配置され、このアンテナ素子１の直下にカメラ３が配置されている。なお、本発明では、アンテナ素子１は表示用基板７に配置されていてもよい。また、本発明では、アンテナ素子１の種類は、特に限定されるものでなく、例えば逆Ｌ型、モノポール型、ヘリカル型、ミアンダ型などが適用できる。
【００１６】
携帯無線機１００では、表示用基板７と操作用基板４との間に配置されたスライド部６(図１（ｂ）参照)によって、操作用基板４が表示用基板７に対して相対的にスライド動作できるように各基板が連結されている。以下、スライド部６について詳しく説明する。
【００１７】
図２は、本実施形態の携帯無線機が備えるスライド部の構成を示す上面図である。図２（ａ）は、操作用基板４が表示用基板７と重なり合った閉状態時のスライド部６の状態を示す。図２（ｂ）は、操作用基板４が表示用基板７から最も離れた開状態時のスライド部６の状態を示す。図２（ｃ）は、スライド部６を分解した状態を示す。また、図３は、スライド部６の要部の拡大図である。
【００１８】
図２（ｃ）に示すように、スライド部６は、表示側スライド部材８と、バネ９と、操作側スライド部材１０とを有している。表示側スライド部材８は、表示用基板７に取り付けられ、表示側スライド部材８の表面には、バネ９の一端９ａが固定された第１の突起１１が形成されている。本実施形態では、図３に示すように、第１の突起１１とバネ９の一端９ａとの間が絶縁部材１３で絶縁されている。バネ９の一端９ａと他端９ｃの中間部分にはコイル部９ｂが形成されている。バネ９の他端９ｃは、一端９ａと同様に、操作側スライド部材１０の表面に形成されている第２の突起１２に絶縁部材１３で絶縁された状態で固定されている（図３参照）。操作側スライド部材１０は、操作用基板４に取り付けられている。
【００１９】
上記のように構成されるスライド部６において、操作用基板４が表示用基板７と重なり合った閉状態時には、図２（ａ）に示すように、バネ９の一端９ａが他端９ｃに対して開方向(図２（ａ）の矢印２０参照)の前方に位置している。これにより、バネ９の弾性力が操作用基板４を表示用基板７に近づく閉方向（図２（ａ）の矢印３０参照）に付勢するように作用する。閉状態から開状態に変化する途中では、操作用基板４の表示用基板７に対する相対的なスライド動作に伴って、バネ９は、コイル部９ｂを中心として一端９ａと他端９ｃとのなす角度が狭まるように変形しながらスライドする。これにより、バネ９の一端９ａと他端９ｃとの位置関係が変化し、バネ９の他端９ｃが開方向に垂直な方向で一端９ａと揃った位置を境界として、バネ９の弾性力の作用する向きが変化する。その結果、開状態時では、図２（ｂ）に示すように、バネ９の一端９ａが他端９ｃに対して開方向の後方に位置することによって、バネ９の弾性力は、操作用基板４を開方向に付勢するように作用している。このようにして、バネ９の弾性力が開状態および閉状態の各々を保持する向き（図２（ａ）および図２（ｂ）の矢印３０参照）に作用することにより各状態が安定するので、携帯無線機１００の操作に関する利便性が向上する。
【００２０】
次に、携帯無線機１００のアンテナ特性について説明する。
【００２１】
図４は、本実施形態の携帯無線機のアンテナ特性の一例を示すグラフである。また、図５は、スライド動作を補助するバネが取り除かれている携帯無線機のアンテナ特性の一例を示すグラフである。図４および図５では、図７と同様に、横軸は周波数を示し、縦軸はリターンロスを示す。なお、リターンロスの値は、シミュレーション値である。また、図６は、放射効率の比較を示すグラフである。図６では、表示用基板と操作用基板とがバネを介して電気的に接続されている携帯電話、本実施形態の携帯無線機、およびスライド動作を補助するバネが取り除かれている携帯無線機の各々の放射効率が棒グラフで示されている。図６において、「バネあり」とは、表示用基板と操作用基板とがバネを介して電気的に接続されている携帯電話を示す。「バネなし」とは、スライド動作を補助するバネが取り除かれている携帯無線機を示す。「バネ接続なし」とは、本実施形態の携帯無線機を示す。
【００２２】
図４および図５を図７と比較すると、本実施形態の携帯無線機１００は、バネが取り除かれている携帯無線機と同様に、図７の領域Ａに示されている異常な発振は見られない。また、図６に示すように、本実施形態の携帯無線機１００は、表示用基板と操作用基板とがバネを介して電気的に接続されている携帯電話に比べ放射効率が向上している。これは、携帯無線機１００では、絶縁部材１３を介してバネ９の両端（一端９ａおよび他端９ｃ）を表示用基板７および操作用基板４に固定することによって、バネ９が表示用基板７および操作用基板４と絶縁され、その結果バネ９に誘導電流が流れないからである。
【００２３】
上述したように、本実施形態の携帯無線機１００によれば、バネ９が表示用基板７および操作用基板４と絶縁されているので、携帯無線機１００の動作中に誘導電流がバネ９を流れない。そのため、バネ９を取り除かなくても異常な共振の発生を防止できる。よって、スライド動作に支障きたさないでアンテナ特性を向上させることが可能となる。
【００２４】
なお、本発明では、誘導電流がバネ９に流れない構成であればいいので、表示用基板７または操作用基板４の少なくとも一方がバネ９と絶縁していればよい。そのため、本発明では、絶縁部材１３が、第１の突起１１とバネ９の一端９ａとの間、または第２の突起１２とバネ９の他端９ｃとの間の少なくとも一方に設けられている構成であればよい。また、本発明では、バネ９が、例えばプラスチックのように絶縁体からなる構成であってもよい。いずれの構成であっても、表示用基板７または操作用基板４の少なくとも一方がバネ９と絶縁されており、バネ９に誘導電流が流れないので、アンテナ特性を向上させることが可能となる。
【符号の説明】
【００２５】
１  アンテナ素子
２  給電点
３  カメラ
４  操作用基板
５  フレキシブル配線板
６  スライド部
７  表示用基板
８  表示側スライド部材
９  バネ
９ａ  一端
９ｂ  コイル部
９ｃ  他端
１０  操作側スライド部材
１１  第１の突起
１２  第２の突起
１３  絶縁部材
１００  携帯無線機
【図２】
2011135175.tif 000003
【図３】
2011135175.tif 000004
【図４】
2011135175.tif 000005
【図５】
2011135175.tif 000006
【図６】
2011135175.tif 000007
【図７】
2011135175.tif 000008
【図１】
2011135175.tif 000009